(57)【要約】【課題】簡素感を有しつつ、荘厳さも有するようにできる表面構造の位牌を提供する。【解決手段】この位牌１は、木目が外部に現れるように透明の表面保護膜が付着された銘木体２と、銘木体２に形成された帯状の溝部２ｄに嵌め込まれ接着される帯状の装飾布３と、を備えてなる。装飾布３は、刺繍がされる正絹とその裏側に貼り付けられ目がより細かい裏布とを有し、金箔が和紙に貼り合わされ裁断されて成る糸が前記金箔側が表側になるように刺繍されて金色の模様が設けられている。【選択図】図１
2018029684.tif 000002
【特許請求の範囲】
【請求項１】
木目が外部に現れるように透明の表面保護膜が付着された銘木体と、
該銘木体の一部に接着されている帯状の装飾布と、を備えてなることを特徴とする位牌。
【請求項２】
請求項１に記載の位牌において、
前記銘木体は、帯状の溝部が形成されており、
前記装飾布は、前記溝部に嵌め込まれて接着されていることを特徴とする位牌。
【請求項３】
請求項１又は２に記載の位牌において、
前記装飾布は、金色の模様が刺繍によって設けられていることを特徴とする位牌。
【請求項４】
請求項３に記載の位牌において、
前記装飾布は、金箔が和紙に貼り合わされ裁断されて成る糸が前記金箔側が表側になるように刺繍されていることを特徴とする位牌。
【請求項５】
請求項３又は４に記載の位牌において、
前記装飾布は、刺繍がされる正絹と、その裏側に貼り付けられ目がより細かい裏布と、を有する構成であることを特徴とする位牌。
【請求項６】
請求項１〜５のいずれか１項に記載の位牌において、
前記銘木体は、互いに分離可能な位牌本体部と台座部とからなり、
前記装飾布は、前記位牌本体部と前記台座部のそれぞれに設けられていることを特徴とする位牌。
【発明の詳細な説明】
【技術分野】
【０００１】
本発明は、位牌に関する。
【背景技術】
【０００２】
位牌は、故人の祭祀のために木材製の位牌本体部に戒名（法名）及び故人に関連する内容を記したものであり、多くは、伝統的な表面加工を施した表面構造のものである。この伝統的な表面加工は、多くは、位牌本体部に漆又はカシュー塗料を塗布し、その上の一部又は全部に金箔又は金粉によって金色の層を設けたものである。この金色の層により、荘厳さを有するようにすることができる。
【０００３】
それに対して、近年、位牌は、伝統的な表面構造が有する画一的な印象を排除するように、様々な表面構造が提案されている。例えば、特許文献１には、極細沈金入り手法で位牌本体の一部に蒔絵を施したものが開示されている。また、特許文献２には、位牌本体を好みの色に着色したものが開示されている。
【先行技術文献】
【特許文献】
【０００４】
【特許文献１】実用新案登録第３０４１８２６号公報
【特許文献２】特開２００８−１５４９８３号公報
【発明の概要】
【発明が解決しようとする課題】
【０００５】
しかしながら、伝統的な表面構造又は特許文献１、２に開示の表面構造の位牌に対して、現代では、荘厳さを残しながらも、もっと簡素感を有したシンプルな位牌が好まれる場合も少なくない。
【０００６】
本発明は、係る事由に鑑みてなされたものであり、その目的は、簡素感を有しつつ、荘厳さも有するようにできる表面構造の位牌を提供することにある。
【課題を解決するための手段】
【０００７】
上記目的を達成するために、請求項１に記載の位牌は、木目が外部に現れるように透明の表面保護膜が付着された銘木体と、該銘木体の一部に接着されている帯状の装飾布と、を備えてなることを特徴とする。
【０００８】
請求項２に記載の位牌は、請求項１に記載の位牌において、前記銘木体は、帯状の溝部が形成されており、前記装飾布は、前記溝部に嵌め込まれて接着されていることを特徴とする。
【０００９】
請求項３に記載の位牌は、請求項１又は２に記載の位牌において、前記装飾布は、金色の模様が刺繍によって設けられていることを特徴とする。
【００１０】
請求項４に記載の位牌は、請求項３に記載の位牌において、前記装飾布は、金箔が和紙に貼り合わされ裁断されて成る糸が前記金箔側が表側になるように刺繍されていることを特徴とする。
【００１１】
請求項５に記載の位牌は、請求項３又は４に記載の位牌において、前記装飾布は、刺繍がされる正絹と、その裏側に貼り付けられ目がより細かい裏布と、を有する構成であることを特徴とする。
【００１２】
請求項６に記載の位牌は、請求項１〜５のいずれか１項に記載の位牌において、前記銘木体は、互いに分離可能な位牌本体部と台座部とからなり、前記装飾布は、前記位牌本体部と前記台座部のそれぞれに設けられていることを特徴とする。
【発明の効果】
【００１３】
本発明の位牌によれば、表面構造によって、簡素感を有しつつ、荘厳さも有するようにすることが可能になる。
【図面の簡単な説明】
【００１４】
【図１】本発明の実施形態に係る位牌の外観を示すものであって、（ａ）が正面図、（ｂ）が背面図である。
【図２】同上の位牌の外観を示す平面図で、（ａ）が全体の平面図、（ｂ）が台座部の平面図である。
【図３】同上の位牌の銘木体の外観を示すものであって、（ａ）が正面図、（ｂ）が背面図である。
【図４】同上の位牌の銘木体の台座部の外観を示す平面図である。
【図５】同上の位牌の装飾布の説明図であって、（ａ）が刺繍の糸を示す断面図、（ｂ）が装飾布の構成を示す端面図である。
【発明を実施するための形態】
【００１５】
以下、本発明を実施するための形態を図面を参照しながら説明する。本発明の実施形態に係る位牌１は、図１（ａ）、（ｂ）及び図２（ａ）、（ｂ）に示すように、銘木体２と装飾布３とを備えてなる。
【００１６】
銘木体２は、木目が明確に現れる選ばれた木材である銘木が基材２ａである。木目は、材木を切断することによりその断面に年輪や導管などが種々の模様をなして現われているものである。銘木は、例えば、木曽檜、ちしゃ、くわ、リグナムバイタ、シャム柿、アレルセ、パープルハートなどである。これらの銘木は、各々に特別な色合い（例えば、パープルハートは紫色）や光沢などを有する。
【００１７】
銘木体２は、木目が外部に現れるように（木目が視認できるように）透明の表面保護膜２ｂが付着されたものである。表面保護膜２ｂは、木目が外部に現れるものならば、多少の曇りや着色が有ってもよい。表面保護膜２ｂは、ワニスを用いることができ、内部に浸透したものと表面に極めて薄く残ったものが固化することにより、透明でありながら表面の強度を増加させることができる。
【００１８】
銘木体２は、戒名（法名）及び故人に関連する内容を記す文字記載部分２ｃを少なくとも有しており、また、通常は、文字記載部分２ｃが縦長であり（垂直方向に長く）、その下方は文字記載部分２ｃよりも横に（水平方向に）広がっている。
【００１９】
本実施形態では、銘木体２は、互いに分離可能な位牌本体部２１と台座部２２とからなっている。位牌本体部２１は、縦長の文字記載部分２ｃを有し、その下方は文字記載部分２ｃよりも横に広がっている。台座部２２は、位牌本体部２１の下側に配置される板状のもので、位牌本体部２１を載置できるように、位牌本体部２１の底部よりも横に広がっている。
【００２０】
このように、銘木体２は、銘木が本来有する木目が外部に現れるような（木目が視認できるような）表面構造にしており、簡素感を有するものとなっている。また、銘木体２は、通常は、形状をも簡素感を有するものとするのがよい。また、図に示す本実施形態では、正面側と裏面側が略同一に現れるものとしているため、正面側と裏面側に文字記載部分２ｃを有する。それにより、例えば、位牌１を夫婦２人の祭祀に用いるものとすることができる。
【００２１】
また、銘木体２は、図３（ａ）、（ｂ）及び図４に示すように、次に説明する装飾布３が嵌め込まれ接着される帯状の溝部２ｄが形成されている。本実施形態では、位牌本体部２１における文字記載部分２ｃの下方と台座部２２の２か所に溝部２ｄが形成されている。詳細には、位牌本体部２１における文字記載部分２ｃの下方では、溝部２ｄは、外周面を一周して形成されている。台座部２２では、溝部２ｄは、上面おいて左辺から前辺（正面の辺）へ斜め直線状に、正面と左側面において上面のものに連続して斜め直線状に、形成されている。
【００２２】
装飾布３は、帯状のものであり、銘木体２の一部に接着される。より詳細には、装飾布３は、銘木体２の溝部２ｄに嵌め込まれて接着される。
【００２３】
装飾布３は、金色の模様が刺繍によって設けられている。位牌１は、この装飾布３を表面構造の一部として有することにより、銘木体２による簡素感とともに、荘厳さも有するようにできる。
【００２４】
装飾布３は、詳細には、金箔３ａが和紙３ｃに接着層（例えば、漆など）３ｂにより貼り合わされ裁断されて成る糸（図５（ａ）参照）が金箔３ａ側が表側（外方側）になるように刺繍されている。従って、位牌１における装飾布３は、その表側（外方側）のみが現れ（視認され）るので、金箔３ａ、すなわち金色の模様のみが現れ（視認され）るようになっている。
【００２５】
装飾布３は、刺繍がされる正絹３１と、その裏側に貼り付けられ目がより細かい裏布３２と、を有する構成とすることができる(図５（ｂ）参照)。正絹３１により荘厳さを保ち、裏布３２により刺繍の背景の色合いを変えることができる。
【００２６】
本実施形態では、装飾布３は、位牌本体部２１と台座部２２のそれぞれに形成された前述した溝部２ｄに設けられている。それにより、位牌本体部２１と台座部２２をともに、荘厳さを有するようにできる。なお、台座部２２の溝部２ｄに設けられる装飾布３は、溝部２ｄから突出しないようにするのが好ましい。
【００２７】
以上、本発明の実施形態に係る位牌について説明したが、本発明は、上述の実施形態に記載したものに限られることなく、特許請求の範囲に記載した事項の範囲内でのさまざまな設計変更が可能である。例えば、銘木体２は、形状は任意に変更可能であり、また、位牌本体部２１のみとすることも可能である。また、装飾布３は、故人の愛用した衣類の一部を切り取って、そのまま用いたり加工して用いたりすることも可能である。
【符号の説明】
【００２８】
１    位牌
２    銘木体
２１  位牌本体部
２２  台座部
２ａ  基材
２ｂ  表面保護膜
２ｃ  文字記載部分
２ｄ  溝部
３    装飾布
３ａ  金箔
３ｂ  接着層
３ｃ  和紙
３１  正絹
３２  裏布
【図１】
2018029684.tif 000003
【図２】
2018029684.tif 000004
【図３】
2018029684.tif 000005
【図４】
2018029684.tif 000006
【図５】
2018029684.tif 000007